(57)【要約】【課題】  斜め織り織機において、複数の経糸から成る経糸シートに均一な張力を付与し、織物欠点の発生を防止することにある。【解決手段】  斜め織り織機は、クロスロールの軸線に平行に設けられたワープビームと、ワープビームの軸線と鋭角に交わる筬と、ワープビームの軸線に平行に設けられたガイドロールとを含む。ガイドロールは、ワープビームから引き出された経糸シートを複数の区分に分割し、各区分におけるワープビームから筬までの経糸シートの長さの差を少なくするように、かつ経糸シートがガイドロールを介して異なる長さ経路を経るように配置されている。【選択図】  図３
2006089890.tif 000002
【特許請求の範囲】
【請求項１】
緯糸が経糸と鋭角に交わり織布を織る斜め織り織機において、
クロスロールの軸線に平行に設けられたワープビームと、
前記ワープビームの軸線と鋭角に交わる筬と、
前記ワープビームの軸線に平行に設けられたガイドロールとを含み、
前記ガイドロールは、前記ワープビームから引き出された経糸シートを複数の区分に分割し、各区分における前記ワープビームから前記筬までの経糸シートの長さの差を少なくするように、かつ前記経糸シートが前記ガイドロールを介して異なる長さ経路を経るように配置されている、斜め織り織機。
【請求項２】
複数の前記ガイドロールが、前記ワープビームの周りに間隔をおいて配置されている、請求項１に記載の斜め織り織機。
【請求項３】
複数の前記ガイドロールの１つは、それぞれが分割された前記経糸シートの１つを前記ガイドロールの別の１つに導くことができるように配置されており、
前記ガイドロールの別の１つは、前記経糸シートの１つと前記経糸シートの別の１つとを前記ワープビームの軸線方向に並べて送り出す、請求項１又は２に記載の斜め織り織機。
【請求項４】
さらに、前記ガイドロールを回転させる駆動装置を含む、請求項１から３のいずれか１項に記載の斜め織り織機。
【発明の詳細な説明】
【技術分野】
【０００１】
本発明は、斜め織り織機に関する。
【背景技術】
【０００２】
斜め織り織機は、経糸と緯糸とが鋭角で交差する斜め織物を製織する。従来の斜め織り織機の１つには、送出装置のワープビームから織前に至る複数の経糸から成る経糸シートの送り出し方向を、入力ローラ、中間ローラ、出力ローラ（特許文献１の符号２４，２５，２６）によって、筬に対して斜めに転向させるのもが知られている（特許文献１、第３図）。この斜め織り織機は、ワープビームの軸線が織前に平行になるように配置された。
【０００３】
また、特許文献２の第１図に記載されている斜め織り織機は、ワープビームから送り出される経糸シートの送出方向は、転向されることなく、経糸に対して鋭角に形成されている織前につながっている。
【０００４】
特許文献３に記載されている斜め織り織機は、ワープビームの軸線が巻取ビームの軸線に鋭角に交わるようにワープビームを配置している。ワープビームから織前に至る複数の経糸から成る経糸シートは、転向用ガイドローラ（特許文献３の符号２５）によって転向される。
【０００５】
しかし、特許文献１に記載の斜め織り織機については、経糸シートが中間ローラ及び出力ローラに対して直角に巻き掛けられていないから、中間ローラに巻かれている範囲の経糸シートは、片方によってしまい、経糸シートが中間ローラから外れてしまう場合がある。また、経糸張力が織幅全体に渡って安定しない。
【０００６】
特許文献２の第１図に記載の斜め織り織機については、織端の一方と他方におけるワープビームから織前までの経糸の長さ（間丁長さ）が大きく異なるから、織機の運転開始前に、均一な張力になるように各経糸の張力を調節しても、製織中に、経糸の長さに応じて経糸の張力が低下する。この結果、織機は、不均一な張力を付与した経糸シートによって織布を製織することになり、織布に経筋が発生しやすい。
【０００７】
特許文献３に記載の斜め織り織機についても、経糸シートがワープビームの軸線に鋭角に交差する軸線を有する転向用ガイドローラの一方によってしまい、経糸シートが転向用ガイドローラから外れてしまう場合がある。また、この斜め織り織機は途中で経糸シートの方向を変更するので、織幅全体に渡って経糸張力の制御が困難になる。
【０００８】
【特許文献１】特公昭４８−３１９５１号公報
【特許文献２】特公昭５１−２８７４８号公報
【特許文献３】特開昭６３−１９６７３８号公報
【発明の開示】
【発明が解決しようとする課題】
【０００９】
本発明の目的は、斜め織り織機において、複数の経糸から成る経糸シートに均一な張力を付与し、織物欠点の発生を防止することにある。
【課題を解決するための手段】
【００１０】
本発明に係る斜め織り織機は、緯糸が経糸と鋭角に交わり織布を織る斜め織り織機において、クロスロールの軸線に平行に設けられたワープビームと、前記ワープビームの軸線と鋭角に交わる筬と、前記ワープビームの軸線に平行に設けられたガイドロールとを含む。前記ガイドロールは、前記ワープビームから引き出された経糸シートを複数の区分に分割し、各区分における前記ワープビームから前記筬までの経糸シートの長さの差を少なくするように、かつ前記経糸シートが前記ガイドロールを介して異なる長さ経路を経るように配置されている。
【００１１】
複数の前記ガイドロールが、前記ワープビームの周りに間隔をおいて配置されてもよい。
【００１２】
複数の前記ガイドロールの１つは、それぞれが分割された前記経糸シートの１つを前記ガイドロールの別の１つに導くことができるように配置されており、前記ガイドロールの別の１つは、前記経糸シートの１つと前記経糸シートの別の１つとを前記ワープビームの軸線方向に並べて送り出してもよい。
【００１３】
さらに、前記ガイドロールを回転させる駆動装置を含んでいてもよい。
【発明の効果】
【００１４】
本発明に係る斜め織り織機によれば、ガイドロールにより分割された各区分における、ワープビームから前記筬までの各経糸シートの長さの差を少なくするように、ガイドロールを介して異なる長さ経路を経て経糸シートを送り出すので、ワープビームから筬までの複数の経糸シート即ち経糸の長さのばらつきは、小さい。したがって、織機の運転開始前に、均一な張力になるように各経糸の張力を調節すれば、製織中に、複数の経糸から成る複数の経糸シートに均一な張力を付与することができ、経糸の長さに応じて経糸の張力が大きく低下しにくくなる。この結果、織機は、ほぼ均一な張力を付与した経糸シートによって織布を製織することができ、織布に経筋が発生しにくくなる。
【００１５】
ガイドローラは、これらの軸線をワープビームの軸線に平行になるように配置されているから、経糸シートがガイドローラに対して直角に巻き掛けられていることとなり、ガイドローラに巻かれている経糸シートは、ガイドローラの中央に維持し、経糸がガイドローラの一方によりにくくなる。また、途中で経糸シートの方向を変更されることがないので、経糸に対する張力制御も簡素になる。
【００１６】
斜め織り織機は、さらに、前記ガイドロールを回転させる駆動装置を含むようにしてもよい。そのようにすることにより、経糸シートを積極的に送り出すことができる。
【発明を実施するための最良の形態】
【００１７】
図１及び図２を参照するに、経糸送出装置１０は、複数の経糸１２が巻かれたワープビーム１４と、ワープビーム１４を回転させる駆動装置１６と、ワープビーム１４の軸線１８に平行に、かつワープビーム１４の周りに間隔をおいて配置された４つのガイドロール２０ａ，２０ｂ，２０ｃ，２０ｄとを含む。ガイドロール２０ａ，２０ｂ，２０ｃ，２０ｄの軸線とワープビーム１４の軸線１８との間の間隔Ｒとは相等しい。
【００１８】
ワープビーム１４は、棒状の芯部２２と、一対のフランジ２４とを含む。一対のフランジ２４は、ワープビーム１４の軸線１８に対して直角に組み付けられている。一対のフランジ２４の間隔はＷとされる。
【００１９】
ワープビーム１４には、複数の経糸１２が巻かれている。複数の経糸１２はワープビーム１４に巻かれて、垂直断面形状が半径ｒのドーナッツ状の中空円柱ａを形成している。
【００２０】
ワープビーム１４は、駆動装置１６により回転され複数の経糸１２から成る、４つのガイドロール２０ａ，２０ｂ，２０ｃ，２０ｄにより経糸シート２６を４つの区分に分割し、それぞれの区分において、４つの経糸シート２６ａ，２６ｂ，２６ｃ，２６ｄを送り出す。
【００２１】
ガイドロール２０ａとガイドロール２０ｂとの間の間隔Ｌ１と、ガイドロール２０ｂとガイドロール２０ｃとの間の間隔Ｌ２と、ガイドロール２０ｃとガイドロール２０ｄとの間の間隔Ｌ３とは相等しくなるように配置されている。このため、経糸シートの幅寸法を相等しくするだけで、各経糸シートの最も長い経糸の長さを等しくすることができる。
【００２２】
ガイドロール２０ａ，２０ｂ，２０ｃ，２０ｄは、いずれも、ワープビーム１４詳細にはワープビーム１４の芯部２２より長い。ガイドロール２０ａ，２０ｂ，２０ｃ，２０ｄの長さは相等しい。各ガイドロール２０ａ，２０ｂ，２０ｃ，２０ｄの両端は、ワープビーム１４の軸線１８において、芯部２２の外側に位置している。このようにすることにより、各ガイドロールは共通化され、経糸送出装置を安価にすることができる。
【００２３】
ガイドロール２０ａは、経糸シート２６ａをガイドロール２０ａに導くように、かつ、中空円柱ａの外周に接するように中空円柱ａの位置Ｐ１から引き出す。
【００２４】
また、ガイドロール２０ａは、経糸シート２６ａをガイドロール２０ｂに導くことができるように配置されている。
【００２５】
ガイドロール２０ｂは、経糸シート２６ｂをガイドロール２０ｂに導くように、かつ、中空円柱ａの外周に接するように中空円柱ａの位置Ｐ２から引き出す。
【００２６】
また、ガイドロール２０ｂは、経糸シート２６ａと経糸シート２６ｂとをワープビーム１４の軸線１８の方向に並んで、経糸シート２６ａ及び２６ｂのいずれよりも幅の広い１つの経糸シート２６ｅにするように、かつ、経糸シート２６ｅをガイドロール２０ｃに導くことができるように配置されている。
【００２７】
ガイドロール２０ｃは、経糸シート２６ｃをガイドロール２０ｃに導くように、かつ、中空円柱ａの外周に接するように中空円柱ａの位置Ｐ３から引き出す。
【００２８】
また、ガイドロール２０ｃは、経糸シート２６ｅと経糸シート２６ｃとをワープビーム１４の軸線１８の方向に並んで、経糸シート２６ｅ及び２６ｃのいずれよりも幅の広い１つの経糸シート２６ｆにするように、かつ、経糸シート２６ｆをガイドロール２０ｄに導くことができるように配置されている。
【００２９】
ガイドロール２０ｄは、経糸シート２６ｄをガイドロール２０ｄに導くように、かつ、中空円柱ａの外周に接するように中空円柱ａの位置Ｐ４から引き出す。
【００３０】
また、ガイドロール２０ｄは、経糸シート２６ｆと経糸シート２６ｄとをワープビーム１４の軸線１８の方向に並んで、経糸シート２６ｆ及び２６ｄのいずれよりも幅の広い１つの経糸シート２６にするように、かつ、経糸シート２６をテンションロール２８に導くことができるように配置されている。
【００３１】
ここで、経糸シート２６ｅの幅寸法は、経糸シート２６ａの幅寸法と経糸シート２６ｂの幅寸法との合計と等しい。経糸シート２６ｆの幅寸法は、経糸シート２６ｅの幅寸法と経糸シート２６ｃの幅寸法との合計と等しい。経糸シート２６の幅寸法は、経糸シート２６ｆの幅寸法と経糸シート２６ｄの幅寸法との合計と等しい。また、経糸シート２６の幅寸法は、ワープビーム１４の一対のフランジ２４の間の間隔寸法Ｗとほぼ等しい。
【００３２】
ガイドロール２０ａ，２０ｂ，２０ｃ，２０ｄと軸線１８との間隔Ｒは相等しいから、位置Ｐ１とガイドロール２０ａとの間の間隔と、位置Ｐ２とガイドロール２０ｂとの間の間隔と、位置Ｐ３とガイドロール２０ｃとの間の間隔と、位置Ｐ４とガイドロール２０ｄとの間の間隔とは相等しい。
【００３３】
したがって、ガイドロール２０ｂに巻掛けられている経糸シート２６ａの位置Ｐ１からガイドロール２０ａを経てガイドロール２０ｂに至る距離は、経糸シート２６ｂの位置Ｐ２からガイドロール２０ｂに至る距離より、ガイドロール２０ａとガイドロール２０ｂとの間の間隔Ｌ１だけ大きい。
【００３４】
また、ガイドロール２０ｃに巻掛けられている経糸シート２６ｂの位置Ｐ２からガイドロール２０ｂを経てガイドロール２０ｃに至る距離は、経糸シート２６ｃの位置Ｐ３からガイドロール２０ｃに至る距離より、ガイドロール２０ｂとガイドロール２０ｃとの間の間隔Ｌ２だけ大きい。
【００３５】
ガイドロール２０ｄに巻掛けられている経糸シート２６ｃの位置Ｐ３からガイドロール２０ｃを経てガイドロール２０ｄに至る距離は、経糸シート２６ｄの位置Ｐ４からガイドロール２０ｄに至る距離より、ガイドロール２０ｃとガイドロール２０ｄとの間の間隔Ｌ３だけ大きい。
【００３６】
すなわち、経糸シート２６ａ，２６ｂ，２６ｃ，２６ｄからなる経糸シート２６は、中空円柱ａから引き出された位置Ｐ１，Ｐ２，Ｐ３，Ｐ４からガイドロール２０ｄに至る長さ寸法が異なる複数の経糸１２から成る。換言すると、複数の経糸シートの１つの中空円柱から引き出される位置からガイドロール２０ｄに至る平均経糸長さは、複数の経糸シートの別の１つの中空円柱から引き出される位置からガイドロール２０ｄに至る平均経糸長さより、複数のガイドロールの１つと別の１つとの間の間隔だけ長くすることができる。このようにすることで、後述のようにそれぞれの区分において、ワープビーム１４から筬４２までの各経糸シート２６ａ，２６ｂ，２６ｃ，２６ｄの長さの差を少なくするように更には相等しくなるように、各ガイドロール２０ａ，２０ｂ，２０ｃ，２０ｄを介して異なる長さ経路を経て、経糸シート２６を送り出す。
【００３７】
テンションロール２８は、これの軸線とワープビーム１４の軸線１８とが平行になるように経糸送出装置１０のフレーム（図示せず）に組み付けられている。テンションロール２８は、経糸シート２６の送りにしたがってテンションロール２８の軸線の周りを回転し、かつ、経糸シート２６に張力を付与する。
【００３８】
ガイドロール２０ａ，２０ｂ，２０ｃ及び２０ｄは、これらの軸線の周りを、ガイドロール用の駆動装置３０によって、駆動装置１６と同期して同一方向に回転される。
【００３９】
具体的には、駆動装置３０は、駆動装置３０の出力軸に組み付けられたタイミングプーリ３２と、ガイドロール２０ａ，２０ｂ，２０ｃ及び２０ｄのそれぞれの回転軸の一端に組み付けられたタイミングプーリ３４と、ベルト張力付与用タイミングプーリ３６と、複数のタイミングプーリ３２，３４，３６に張力を付与された状態に架けられたタイミングベルト３８とを含む。なお、複数のタイミングプーリ３２，３４，３６は変速機を介して駆動装置１６により駆動させてもよい。
【００４０】
複数のタイミングプーリ３２，３４，３６のピッチ円直径は相等しいようにされている。これにより、ガイドロール２０ａ，２０ｂ，２０ｃ，２０ｄが送り出す経糸シート２６ａ，２６ｂ，２６ｃ，２６ｄの送出速度を一定にすることができる。
【００４１】
図３を参照するに、斜め織り織機４０は、経糸送出装置１０と、ワープビーム１４の軸線１８と鋭角に交わる筬４２とを含む。筬４２は、経糸１２の方向に対して３０°の方向に伸びている。
【００４２】
経糸送出装置１０のテンションロール２８から引き出される経糸シート２６は、経糸１２の方向に対して３０°に交差する複数の綜絖枠４４、経糸１２の方向に揺動する筬４２を介して織前４６につながっている。
【００４３】
筬４２は、織前４６に平行、すなわち経糸１２に対する交差角度θが３０°の方向に緯入れされた緯糸（図示せず）を織前４６に筬打ちし、織布４８を製織する。
【００４４】
製織された織布４８は、プレスロール５０及び服巻ロール（図示せず）を介して巻取ロール５２にロール状に巻かれる。
【００４５】
各ガイドロール２０ａ，２０ｂ，２０ｃ，２０ｄは、経糸シート２６の幅方向において、各区分における経糸シート２６の間隔ｗ１，ｗ２，ｗ３と、対応する各ガイドロール２０ａ，２０ｂ，２０ｃ，２０ｄそれぞれの間隔Ｌ１，Ｌ２，Ｌ３との寸法関係がＬ＝ｗ×ｔａｎθ、この実施例ではＬ＝ｗ×ｔａｎ３０°になるように配置されている。なお、交差角度θが４５°の場合はそれぞれの間隔ｗと間隔Ｌの寸法が等しくなる。上記のＬ＝ｗ×ｔａｎθの関係を満たせば、間隔ｗ１，ｗ２，ｗ３及び間隔Ｌ１，Ｌ２，Ｌ３はそれぞれ異なる値でもよい。
【００４６】
換言すると、ガイドロール２０ｂは、経糸シート２６ａにおける経糸１２のうち、ガイドロール２０ａから筬４２までの長さが最も長い経糸１２の長さＬＬ１と、経糸シート２６ｂにおける経糸１２のうち、ガイドロール２０ｂから筬４２までの長さが最も長い経糸１２の長さＬＬ２とが等しくなるように配置されている。
【００４７】
ガイドロール２０ｃは、経糸シート２６ｂにおける経糸１２のうち、ガイドロール２０ｂから筬４２までの長さが最も長い経糸１２の長さＬＬ２と、経糸シート２６ｃにおける経糸１２のうち、ガイドロール２０ｃから筬４２までの長さが最も長い経糸１２の長さＬＬ３とが等しくなるように配置されている。
【００４８】
ガイドロール２０ｄは、経糸シート２６ｃにおける経糸１２のうち、ガイドロール２０ｃから筬４２までの長さが最も長い経糸１２の長さＬＬ３と、経糸シート２６ｄにおける経糸１２のうち、ガイドロール２０ｄから筬４２までの長さが最も長い経糸１２の長さＬＬ４とが等しくなるように配置されている。
【００４９】
また、経糸送出装置１０は、４つのガイドロールを含むとして説明したが、これに限定されず、ガイドロールの数は、２以上であればよい。
【００５０】
また、以上の実施例では、経糸シートの各区分に対してそれぞれガイドロールを対応させたが、必ずしも各区分に対してガイドロールを対応させる必要はない。例えば、経糸シートを２つの区分に分割する場合、ガイドロールは１つでもよい。
【００５１】
詳細には、一方の区分の経糸シートをガイドロールを経て引き出してテンションロールに導き、他方の区分の経糸シートをガイドロールを経由せずに、例えばガイドロールの下側を経てテンションロールに導いてもよい。
【００５２】
本発明は、上記実施例に限定されず、その趣旨を逸脱しない限り、種々変更することができる。
【図面の簡単な説明】
【００５３】
【図１】本発明に係る経糸送出装置の概略正面図である。
【図２】図１に示した経糸送出装置の概略側面図である。
【図３】本発明に係る斜め織り織機の概略上面図である。
【符号の説明】
【００５４】
１０  経糸送出装置
１２  経糸
１４  ワープビーム
１６  駆動装置
１８  ワープビームの軸線
２０ａ，２０ｂ，２０ｃ，２０ｄ  ガイドロール
２２  芯部
２４  フランジ
２６，２６ａ，２６ｂ，２６ｃ，２６ｄ，２６ｅ，２６ｆ  経糸シート
２８  テンションロール
３０  駆動装置
３２  タイミングプーリ
３４  タイミングプーリ
３６  ベルト張力付与用タイミングプーリ
３８  タイミングベルト
４０  斜め織り織機
４２  筬
４４  綜絖枠
４６  織前
４８  織布
５０  プレスロール
５２  巻取ロール
【図１】
2006089890.tif 000003
【図２】
2006089890.tif 000004
【図３】
2006089890.tif 000005